(57)【要約】【課題】印字機能付カードの処理装置において、印字手段の中心とプラテンローラの中心が必ず位置整合できるようにする。【解決手段】磁気カードやＩＣカードのための印字機能付カード処理装置１のシャシ本体を、開閉自在な上側シャシ２及び下側シャシ３から構成し、上側のシャシ２の左側板の孔にプラテンローラ４５の軸受を遊動可能に支承し、下側のシャシ３の左側板に上下シャシ２、３が閉成したときプラテンローラ４５を所定の位置に案内して位置決めする案内溝付きのＵ字溝１１ａ（１２ａ）を設け、上側のシャシ２を閉成したときプラテンローラ４５の中心がサーマルヘッド１４の中心に一致するよう強制位置決めする。【選択図】　　　　図２
2004030036.tif 000002
【特許請求の範囲】
【請求項１】
開閉自在な上側シャシ及び下側シャシからなるシャシ本体と、カード搬送路と、カードを搬送するカード搬送手段と、カードの処理を行うカード処理手段と、カードに印字を行う印字手段とを備えた印字機能付カード処理装置において、
上側または下側のいずれか一方のシャシにプラテンローラを遊動可能に支承し、他方のシャシに上下シャシが閉成したときプラテンローラを所定の位置に案内して位置決めする位置決め手段を設けたことを特徴とする印字機能付カード処理装置。
【請求項２】
請求項１に記載された印字機能付カード処理装置において、
前記プラテンローラの軸受が前記一方のシャシの側板に形成された孔に遊動可能に支承されていることを特徴とする印字機能付カード処理装置。
【請求項３】
請求項１または２に記載された印字機能付カード処理装置において、
前記位置決め手段は、前記他方のシャシの側板に形成された略Ｕ字状の溝と、該溝の上端から斜め上方に延在する案内溝とからなることを特徴とする印字機能付カード処理装置。
【請求項４】
請求項３に記載された印字機能付カード処理装置において、
前記略Ｕ字状の溝は、前記プラテンローラの軸受の幅と略同一の幅を有することを特徴とする印字機能付カード処理装置。
【請求項５】
請求項４に記載された印字機能付カード処理装置において、
前記略Ｕ字状の溝は、その中心が印字手段が印字位置にあるときその中心に一致していることを特徴とする印字機能付カード処理装置。
【請求項６】
請求項１ないし５のいずれかに記載された印字機能付カード処理装置において、
前記一方のシャシにモータ駆動される第１の伝達ギアを設け、他方のシャシにプラテンローラと同軸の第２の伝達ギアを設けたことを特徴とする印字機能付カード処理装置。
【発明の詳細な説明】
【０００１】
【発明の属する技術分野】
本発明は、磁気カードやＩＣカードなどの印字機能付カード処理装置に関し、とくに、書き込み手段とプラテンローラとの位置合わせが容易に行えるようにした印字機能付カード処理装置に関する。
【０００２】
【従来の技術】
ＩＤカードやプリペイドカードなどの磁気カード或いはＩＣカードが一般に広く利用されるようになってきている。磁気カード或いはＩＣカードは、一般に使用時にカードの読み取り及び書き込みを行う手段を備えた印字機能付カード処理装置に挿入し、カードに記録された情報の読み取り及び書き込みを行っている。
ところで、このカード処理装置では、本体シャシの前端部に形成された挿入口からカードを挿入し、搬送手段によって本体シャシ内を搬送しながら、カードへのデータの記録・再生を行うようにしているため、使用した時に挿入口からゴミ、ほこり等が侵入し、それが駆動ローラや押圧ローラなどの搬送手段に付着してカードがスリップし、記録再生エラーが発生することがある。
【０００３】
そこで、このようなゴミ、ほこり等を取り除くため定期的な内部の清掃を行う必要から本体シャシを上側シャシと下側シャシに分割して両者を開閉自在にし、上側シャシを開いて内部を露出させることにより、駆動ローラ、押圧ローラ、磁気ヘッド、サーマルヘッドなどの清掃や内部の保守管理を簡単に行えるようにしている。
ところで、本体シャシを上側シャシと下側シャシに分割して両者を開閉自在に結合する構造では、上側シャシを閉じたとき、互いに対向する駆動ローラと押圧ローラ、磁気ヘッドと磁気ヘッド押圧ローラ等がしっかり当接できず、がたが生じやすいという問題点があったため、その点を改良して上側シャシを下側シャシにがたつきなくしっかり閉じることができるよう、上側シャシと下側シャシとをロックするロック機構を設けた磁気カードリーダライタが知られている（例えば、特開平８−１９５００７号参照）。
しかしながら、この上側と下側シャシが分割された構造では、両者をロックして上側シャシを下側シャシにがたつきなくしっかり閉じることはできても、閉じたときにその記録手段であるサーマルヘッドとプラテンローラの中心は一致せず、その両者の位置の不整合により印字不良が発生する恐れがあった。
【０００４】
【発明が解決しようとする課題】
そこで、本発明は、従来技術がもつ前記欠点を解消しようとするものであって、上側と下側に分割されたシャシを有する構造の印字機能付カードの処理装置において、両者を閉じたときに印字手段とプラテンローラの中心が必ず整合できるようにすることを目的とする。
【０００５】
【課題を解決するための手段】
請求項１の発明は、開閉自在な上側シャシ及び下側シャシからなるシャシ本体と、カード搬送路と、カードを搬送するカード搬送手段と、カードの処理を行うカード処理手段と、カードに印字を行う印字手段とを備えた印字機能付カード処理装置において、上側または下側のいずれか一方のシャシにプラテンローラを遊動可能に支承し、他方のシャシに上下シャシが閉成したときプラテンローラを所定の位置に案内して位置決めする位置決め手段を設けた、ことを特徴とする印字機能付カード処理装置である。
【０００６】
請求項２の発明は、請求項１に記載された印字機能付カード処理装置において、　前記プラテンローラの軸受が前記一方のシャシの側板に形成された孔に遊動可能に支承されていることを特徴とする印字機能付カード処理装置である。
【０００７】
請求項３の発明は、請求項１または２に記載された印字機能付カード処理装置において、前記位置決め手段は、前記他方のシャシの側板に形成された略Ｕ字状の溝と、該溝の上端から斜め上方に延在する案内溝とからなることを特徴とする印字機能付カード処理装置である。
【０００８】
請求項４の発明は、請求項３に記載された印字機能付カード処理装置において、前記略Ｕ字状の溝は、前記プラテンローラの軸受の幅と略同一の幅を有することを特徴とする印字機能付カード処理装置である。
【０００９】
請求項５の発明は、請求項４に記載された印字機能付カード処理装置において、前記略Ｕ字状の溝は、その中心が印字手段が印字位置にあるときその中心に一致していることを特徴とする印字機能付カード処理装置である。
【００１０】
請求項６の発明は、請求項１ないし５のいずれかに記載された印字機能付カード処理装置において、前記一方のシャシにモータ駆動される第１の伝達ギアを設け、他方のシャシにプラテンローラと同軸の第２の伝達ギアを設けたことを特徴とする印字機能付カード処理装置である。
【００１１】
【発明の実施の形態】
本発明に係る印字機能付カード処理装置１の実施形態を添付図面を参照して説明する。
図１は、印字機能付カード処理装置の主にカード搬送用駆動系を説明するため上側シャシを透視して示した平面図であり、かつ、図２は同処理装置の図１におけるＩＩ−ＩＩ線でみた断側面図、図３は同処理装置の図１におけるＩＩＩ−ＩＩＩ線でみた断側面図であり、左側板の一部を透視して示している。
図１において、印字機能付カード処理装置の下側シャシは左右の側板１１、１２を備え、両側板間には駆動用のモータ２０が配置されている。また、左側板１１に従動プーリー３１〜３３と駆動プーリー３４が設けられ、これらのプーリーにはカード搬送用のベルト３５が掛け渡されている。また、図３にも示すように、駆動プーリー３４の軸３４ａの一端には左側板１１の外側において減速プーリー２６が固設されており、この減速プーリー２６はモータ軸側プーリー２２に掛け渡された減速ベルト２４によりモータ駆動される。
【００１２】
図１において、下側シャシ３の左端には磁気カードを投入するためのカード入口１６が設けられており、同シャシ３の中央部分には磁気ヘッド１３、更にその右方にはサーマルヘッド１４が起伏自在に、それぞれ両側板１１、１２に取り付けられている。サーマルヘッド１４は、図２の断側面図に示すようにサーマルヘッド駆動用ソレノイド１４１のプランジャ１４２に設けたピン１４３と係合するサーマルヘッド駆動用ブラケット１４４のサーマルヘッド押圧ローラ１４５により、上側シャシに設けられたプラテンローラ４５と接触する上方位置とそれから離れる下方位置との間で揺動される。
【００１３】
図４は、本発明に係る印字機能付カード処理装置１の側面図であって、図４ａはそれぞれ本発明に係る印字機能付カード処理装置の上下のシャシが閉成してカード搬送路を形成した状態、及び図４ｂは上下のシャシが開放してカード搬送路を開放した状態を示している。
図４ａ、４ｂから明らかなように、上側シャシの左側端部つまり上下側シャシを枢着するヒンジ５０と反対側端部にロックレバー１５が設けられており、ロックレバー１５のブラケット１５ａの凹所１５ｂが上下側シャシが閉成された状態で下側シャシの枢ピン１６に係合するようになっている。
ロックレバー１５は、それを枢ピン１６の回りで図示しないバネの付勢力に抗して反時計方向に回動することにより解除可能であり、他方、上側シャシ２を閉じると、ロックレバー１５の下側のテーパー面１５Ｃが枢ピン１６に当接し、枢ピン１６がテーパー面１５Ｃを乗り越えたとき、ロックレバー１５は反時計方向に回動されて凹所１５ｂに枢ピン１６が係合する。
上側シャシ２（図５）の右側板１２’には伝動ベルト５１に掛け渡されたプラテンローラ４５を駆動するための駆動用プーリー５２及び従動用プーリー５３が設けられている。ここで駆動用プーリー５２の軸５２ａの他端部には伝導ギア５４が固設されており、伝動ギヤ５４は減速プーリー２６と同軸の伝動ギヤ２８と噛合している。
【００１４】
図５は図２の要部拡大図であり、本発明に係る印字機能付カード処理装置のプラテンローラ４５と上側及び下側シャシ２、３の側板１１、１２（１１’、１２’）及びサーマルヘッド１４との位置関係を示す図である。
図５ａは上側シャシ２と下側シャシ３とが閉成した状態における前記各要素の位置関係を示し、また、図５ｂは上及び下側シャシ２及び３が開放した状態を示している。
上側シャシ２の側板１１’（１２’）には軸受孔２ａが形成されており、この軸受孔２ａにはプラテンローラ４５の軸受４５ａが嵌合支持されている。プラテンローラ軸受４５ａは、図示のように前記軸受孔２ａに収容されたときカード搬送方向に隙間即ち遊びを有している。つまり、前記軸受４５ａは軸受孔２ａに軸支された状態でカード搬送方向に若干移動可能になっている。
他方、下側シャシ３の側板１１（１２）には、軸受４５ａを収容するため、この軸受４５ａの幅にほぼ等しい幅のＵ字溝１１ａ（１２ａ）を有し、かつこのＵ字溝の上端にはそれに連続して斜め上方に傾斜した案内面となる案内溝１１ｂ（１２ｂ）が一体に形成されている。
【００１５】
以上の構成において、上側及び下側のシャシ２、３を図５ｂの開放状態（破線にて閉状態のプラテンローラの位置を示している）から図５ａの閉成状態まで閉じると、プラテンローラ４５がサーマルヘッド１３と整合していない（つまり両者の中心が一致していない）ときは、プラテンローラ軸受４５ａは、下側シャシ３の左右の案内溝１１ｂ（１２ｂ）のいずれかに当接して搬送方向に若干移動しながら、Ｕ字溝１１ａ（１２ａ）に向かって案内される。このようにプラテンローラ軸受４５ａ、従ってプラテンローラ４５は、上下シャシを閉成したとき側板１１（１２）のＵ字溝１１ａ（１２ａ）中に確実に導入され、Ｕ字溝１１ａ（１２ａ）に収容されたときにはサーマルヘッド１４上の正規の位置に強制的に位置決めされる。
このように、上側及び下側シャシ２、３を閉じるだけで、プラテンローラ軸受４５ａはＵ字溝１１ａ（１２ａ）に入り込み、プラテンローラの中心とサーマルヘッドの中心を一致させることができる。
【００１６】
また、プラテンローラ軸４５ａ上には伝達ギア５４が固設されているから、上側シャシ２と下側シャシ３を閉じることにより、上側シャシ２の側板１１’に支承された伝動ギア５４と下側シャシ３の伝達ギア２８との噛合も正確に行うことができる。
【００１７】
次に本カード処理装置の動作について説明する。
まず、磁気カードを投入口１６から挿入すると、図示しないセンサでカードを検知しカードが真正であれば、モータ２０が駆動しモータ軸２２が回転する。モータ軸２２の回転は減速ベルト２４を介して減速プーリ２６に伝達されて、下側シャシ３の側板１１の外側に支承された減速プーリ２６を減速回転する。同プーリ２６が回転すると、下側シャシ３内においてその回転軸の他端に固設された駆動プーリ３４が回転して、従動プーリ３１〜３３上に掛け渡した搬送ベルト３５を駆動する。これによってカードは上側シャシ２の搬送ベルト３５’との間に挟持された状態で搬送される。
【００１８】
磁気カードが搬送されて磁気ヘッド１３の位置に達すると、磁気ヘッド１３は磁気カードのリード及びライトを行う。
例えば、設定金額５，０００円のプリペイカードを２，０００円使用した場合には、残額３，０００円が書き込まれる。
リードライトが終了したら、次にサーマルヘッド１４で残額の印字を行う。即ち、通常、サーマルヘッド１４は搬送路から退避しているが、残額の印字を行うため搬送路に現れる。つまり、リードライトが終了したら、（図示しないセンサにより）ソレノイド１４１がＯＮ（励磁）し、図６ａの状態から図６ｂに示すようにプランジャ１４２が後退する。プランジャ１４２が後退すると、プランジャ１４２のピン１４３に係合したブラケット１４４は、この後退動作によって枢ピン１４４ｂを中心に回動され、プランジャのピン１４３に係合したＵ字溝１４４ａを押し下げ、逆にそれと反対側に設けたサーマルヘッド１４用押圧ローラ１４５を押し上げる。その結果、一端を枢ピン１４ｂにより下側側板に回動自在に支持されたサーマルヘッド１４は、前記押圧ローラ１４５により押し上げられて、搬送路中に入り搬送されてくる磁気カードを前述のように強制的に位置整合されたプラテンローラ４５との間で挟持して印字不良を生じることなく残額３，０００円を印字する。
【００１９】
印刷が終了した後、カードに残額が残っていれば、利用者への返却のためモータを逆転して前方から排出し、残額が０であれば、モータをそのまま駆動し続け、モータ２０の駆動力を下側シャシ３の左側板１１に支承された減速プーリ２６から駆動ギヤ２８、駆動ギア２８と噛合する上側シャシ２の左側板１１’の外側に支承された駆動ギア５４、回転軸５２ａ、上側シャシ２の右側板１２’の外側に支承された駆動プーリ５２に伝え、これを回転しその回転を伝達ベルト５１により従動プーリ５３に伝える。
従動プーリー５３の回転はさらに同軸上の後方排出／取り込みローラ５８に伝えられ、該ローラ５８に接触する従動ローラ４３間でカードを挟持して後方に排出する。
このように、本実施形態によれば、前方へ返却する或いは後方から排出し装置内に取り込むか等用途に応じて排出方向を切り換えることができる。
【００２０】
本実施形態では、カード処理部を磁気ヘッドとしたが、ＩＣカードの場合において、これを接触型のＩＣ接点または非接触型のＩＣ媒体としてもよく、また、下側にサーマルヘッドを、上側にプラテンローラを取り付けたが、その逆でもよい。
【００２１】
【発明の効果】
開放した上側シャシを単に閉成するだけで、プラテンローラを印字手段との整合位置に強制的に導き、プラテンローラの中心を印字手段の中心に常に一致させることができるため、位置不整合による印字不良を確実に防止することができる。
また、この構造をプラテンローラと同軸のギヤの噛合においても利用でき、ギヤの噛み合うための特別の整合手段を要せず、部品の共有化が図れる。
【図面の簡単な説明】
【図１】本発明に係わる印字機能付カード処理装置の主にカード搬送用駆動系を説明するため上側シャシを透視して示した平面図である。
【図２】図１におけるＩＩ−ＩＩ線でみた断面図を示す。
【図３】図１におけるＩＩＩ−ＩＩＩ線でみた断面図であって、説明のため左側板の一部を透視して示している。
【図４】本発明に係る印字機能付カード処理装置の側面図で、（ａ）は上側シャシを閉じた状態、（ｂ）は上側シャシを開いた状態を示す。
【図５】本発明に係る印字機能付カード処理装置のサーマルヘッドとプラテンローラの関係を示す要部拡大図である。
【図６】本発明に係る印字機能付カード処理装置のサーマルヘッドの動作を示し、（ａ）はサーマルヘッド退避状態、（ｂ）はサーマルヘッド進出状態を示す。
【符号の説明】
１…印字機能付カード処理装置、２…上側シャシ、２ａ…プラテンローラ軸受用孔、３…下側シャシ、１１（１１’）…左側板、１２（１２’）…右側板、１１ａ（１２ａ）…Ｕ字溝、１４…サーマルヘッド、２０…モータ、２２…モータ軸、２４…減速ベルト、２６…減速プーリ、２８…駆動ギヤ、３１〜３３…従動プーリ、３４…駆動プーリ、３５…搬送ベルト、４５…プラテンローラ、５３…後方排出／取込ローラ、５４…伝動ギヤ。
【図１】
2004030036.tif 000003
【図２】
2004030036.tif 000004
【図３】
2004030036.tif 000005
【図４】
2004030036.tif 000006
【図５】
2004030036.tif 000007
【図６】
2004030036.tif 000008